(57)【要約】【課題】デバイスネットの資源を有効に利用して高い分解能のガス濃度信号と、詳細なステータス情報とセンサ情報とを伝送すること。【解決手段】ガスセンサー１０、制御監視手段１２、及びセンサ情報記憶手段１４、デバイスネットに準拠した信号に変換するデバイスネット用インターフェイス１３とを備えたガス検出ユニット１と、デバイスネット用インタフェース３０、制御手段３１、表示警報手段３２、３３、及び入力手段３４からなる中央監視装置３とを備え、ガスセンサ１０により検出されたガス濃度信号、及び情報記憶手段１４の信号をそれぞれ通信ケーブル２により１６ビットで伝送するようにした。【選択図】        図１
2004234598.tif 000002
【特許請求の範囲】
【請求項１】
ガスセンサー、制御監視手段、及びセンサ情報記憶手段と、デバイスネットに準拠した信号に変換するデバイスネット用インターフェイスとを備えたガス検出ユニットと、
デバイスネット用インタフェース、制御手段、表示警報手段、及び入力手段からなる中央監視装置と、
を備え、前記ガスセンサにより検出されたガス濃度信号を１６ビットで、また前記センサ情報記憶手段の信号及びステータス信号を１６ビットで伝送することを特徴とするガス濃度監視システム。
【請求項２】
前記ガス情報記憶手段が、ガス名、フルスケール値、警報値、警報の種類、１デジット当りのガス濃度値を読出し可能に不揮発性メモリに格納して構成されている請求項１に記載のガス濃度監視システム。
【請求項３】
前記ガス濃度信号が符号付き１６ビットのデータとして構成されている請求項１に記載のガス濃度監視システム。
【請求項４】
前記中央監視装置が、所定の周期で各ガス検出ユニットの前記センサ情報記憶手段の情報を読出して、前記ガス検出ユニットと通信回線との接続状況を判定する請求項１に記載のガス濃度監視システム。
【請求項５】
前記ステータス信号に特殊コードが設定されていて、前記特殊コードにより前記センサ情報記憶手段に格納されている他のセンサ情報を伝送する請求項１に記載のガス濃度監視システム。
【発明の詳細な説明】
【０００１】
【発明の属する技術分野】
本発明は、デバイスネットに適したガス濃度監視システム、より詳細にはガス検出ユニットからのデータを中央監視装置に伝送するための方式に関する。
【０００２】
【従来の技術】
ガス濃度監視システムの分野では、ステータス信号に８ビット、また濃度信号に８ビットを割り当て、合計１６ビットの信号をパラレルで伝送する方式が採用されている。
一方、プラント、半導体、自動車といった製造業の分野では、制御信号や機器設定用のデータのやりとりをシリアル通信で行う、標準化されたネットワーク、いわゆるデバイスネット（登録商標）が広く利用され、リミットスイッチ、光電センサ、バルブマニホルド、モータスタータ、プロセスセンサ、バーコードリーダ、可変周波数ドライバ、パネルディスプレイ、オペレータインタフェース等の産業デバイスの接続が可能な通信リンクが構築されている。
【０００３】
【発明が解決しようとする課題】
本発明は、このような事情に鑑みなされたものであって、その目的とするところは、デバイスネットが潜在的に備えているリソースを有効に利用して中央監視装置にガス濃度信号を高い分解能で伝送できるとともに、センサー情報をも合わせて伝送できるガス濃度監視システムを提供することにある。
【０００４】
【課題を解決するための手段】
このような問題を解消するために本発明においては、ガスセンサー、制御監視手段、及びセンサ情報記憶手段と、デバイスネットに準拠した信号に変換するデバイスネット用インターフェイスとを備えたガス検出ユニットと、デバイスネット用インタフェース、制御手段、表示警報手段、及び入力手段からなる中央監視装置と、を備え、前記ガスセンサにより検出されたガス濃度信号を１６ビットで、また前記センサ情報記憶手段の信号及びステータス信号を１６ビットで伝送するようにした。
【０００５】
【作用】
センサ情報記憶手段のデータに基づいて各ガス検出ユニットのステータス信号とセンサ情報とを１６ビットで伝送するとともに、ガス濃度信号をも１６ビットで伝送する。
【０００６】
【発明の実施の態様】
そこで以下に本発明の詳細を図示した実施例に基づいて説明する。
図１は、本発明の一実施例を示すものであって、各種装置の近傍に配置されるガス検出ユニット１は、電気化学式ガスセンサや半導体ガスセンサ、熱線式ガスセンサ等からなるセンサ１０と、アナログーデジタル変換器１１、マイクロコンピュータにより構成された監視制御手段１２、アナログーデイジタル変換器１１と監視制御手段１２からのステータス信号をデバイスネットに準拠した信号に変換するデバイスネット用インターフェイス１３、及び、センサ情報記憶手段１４とにより構成されている。
【０００７】
センサ情報記憶手段１４は、それぞれのガス検出ユニット１に設定されている濃度単位コード（ｖｏｌ％、％ＬＥＬ、ｐｐｍ、ｐｐｂ）、小数点コード（１／１、１／１０、１／１００、１／１０００）、第１警報点の濃度、第２警報点の濃度、サプレス値、及び警報遅延時間のデータ等を不揮発性メモリに格納して構成されている。
【０００８】
各ガス検出ユニット１は、インターフェイス１３を介してデバイスネット標準ケーブル２により中央監視装置３に接続されている。中央監視装置３は、デバイスネット用インタフェース３０、制御手段３１、デイスプレイ３２、警報器３３、入力手段３４により構成され、ガス検出ユニット１からのガス濃度信号やステータス信号を受け、制御手段３１によりガスの濃度をデイスプレイ３２に表示したり、ガスの濃度が基準値を超えた場合に警報器３３を作動させ、また入力手段３４の指令によりガス検出ユニット１からセンサ情報を伝送させる。
【０００９】
ガス濃度信号とステータス信号とは、切換えによりそれぞれ１ブロックとして伝送されていて、本発明においては表１に示したように、デバイスネットの信号幅である１６ビットに拡張されている。
これにより、表１に示したようにガス濃度信号を符号付きの１５ビットのデータとして、またステータス信号を１６ビットにより伝送することができ、高い分解精度のガス濃度信号と、詳細なステータスの伝送が可能となる。
【００１０】
【表１】
2004234598.tif 000003
【００１１】
各ガス検出ユニット１は、通常のガス監視状態では、ガス濃度信号を構成する１６ビットと、ステータス信号を構成する１６ビットの、合計３２ビットの信号を出力する。この３２ビットの信号は、デバイスネットにより中央監視装置３に伝送される。
ところが、中央監視装置３は、３２ビットで伝送されるこれらガス濃度信号、及びステータス信号の他に、センサ情報を必要とする場合がある。
しかし、デバイスネットで伝送可能な回線幅３２ビットが、ガス検出ユニット１からの信号の伝送のために既に予約されているため、新たなデータであるセンサ情報をセンサユニット１側から伝送することが不可能である。
このため、本発明においては、ステータス信号の１ビット、この実施例ではステータス信号の第４ビットで４特殊コードを指定するように構成されている。
【００１２】
すなわち、特殊コードは、「０」、「１」の２種類のデータの設定が可能となっていて、
通常のガス監視状態では、特殊コードが「０」に設定されていて、第０ビットと第１ビットとにより小数点の位置を、また第２ビットと第３ビットとで濃度単位を特定している。
すなわち、
第０ビット「０」、第１ビット「０」  １／１
第０ビット「０」、第１ビット「１」  １／１０
第０ビット「１」、第１ビット「０」  １／１００
第０ビット「１」、第１ビット「１」  １／１０００
を出力する。
また第２ビットと第３ビットは、
第２ビット「０」、第３ビット「０」  ｖｏｌ％
第２ビット「０」、第３ビット「１」  ％ＬＥＬ
第２ビット「１」、第３ビット「０」  ｐｐｍ
第２ビット「１」、第３ビット「１」  ｐｐｂ
を出力する。
【００１３】
一方、中央監視装置３の入力手段１により第４ビットの特殊コードに「１」が指定されると、第０ビット、第１ビット、第２ビット、及び第３ビットの４ビットにより１６種類の別の情報、つまりセンサ情報記憶手段１４に格納されている他のセンサ情報、つまり第１警報点の濃度、第２警報点の濃度、サプレス値、及び警報遅延時間等のデータを通常のガス監視状態よりも余分に伝送することが可能となる。
これにより、デバイスネットで伝送可能な情報以上の情報を伝送することができ、中央監視装置側での各ガス検出ユニット毎の設定用データの入力作業を大幅に減らすことができる。
【００１４】
なお、従来の装置では、表２に示したようにステータス信号及びガス濃度信号が共に８ビットにより伝送されていたので、分解能が低く、またガスセンサーの詳細な状態を把握することが困難であった。
【００１５】
【表２】
2004234598.tif 000004
【００１６】
さらには中央監視装置３により定期的にガス検出ユニット１、１、‥‥を呼び出して、各ガス検出ユニット１のセンサ情報記憶手段１１の適宜の情報をデバイスネット２に出力させて伝送させることにより、各ガス検出ユニット１との通信状態を検定することができる。
【００１７】
【発明の効果】
以上、説明したように本発明によれば、センサ情報記憶手段のデータに基づいて各ガス検出ユニットのステータス信号とセンサ情報とを１６ビットで伝送するとともに、ガス濃度信号をも伝送するため、デバイスネットの資源を有効に利用して、中央監視装置でのデータの入力作業を可及的に減少させつつ、各ガス検出ユニットの詳細な情報を表示することができる。
【図面の簡単な説明】
【図１】本発明の一実施例を示す構成図である。
【符号の説明】
１  ガス検出ユニット
２  通信ケーブル
３  中央監視装置
１０  ガスセンサ
３２  デイスプレイ
３３  警報器
３４  入力手段
【図１】
2004234598.tif 000005